(57)【要約】【課題】  データベースに障害が発生した場合でも簡単にデータベースが再構築可能な素材管理システムを提供する。【解決手段】  カート装置１の収納棚１ａには、素材を記憶する第１の記憶領域と、素材以外の情報を記憶する第２の記憶領域とを有する光ディスクが複数収納され、記録再生装置１ｂは光ディスクへの素材または素材以外の情報の記憶または可搬型記憶媒体に記憶された素材の再生を行う。データベース２ａは、素材の管理情報を記憶する。カート制御装置２は、カート装置１を制御して、光ディスクへの素材の記憶の際、光ディスクごとの素材の管理情報を第２の記憶領域に記憶させる。【選択図】  図１
2007073111.tif 000002
【特許請求の範囲】
【請求項１】
映像または音声素材を管理する素材管理システムにおいて、
素材を記憶する第１の記憶領域と、前記素材以外の情報を記憶する第２の記憶領域とを有する可搬型記憶媒体を複数収納する収納棚と、前記可搬型記憶媒体への前記素材または前記素材以外の情報の記憶または前記可搬型記憶媒体に記憶された前記素材を再生する記録再生装置とを備えたカート装置と、
前記素材の管理情報を記憶するデータベースと、
前記カート装置を制御して、前記可搬型記憶媒体への前記素材の記憶の際、前記可搬型記憶媒体ごとの前記素材の前記管理情報を前記第２の記憶領域に記憶させるカート制御装置と、
を有することを特徴とする素材管理システム。
【請求項２】
前記カート制御装置は、前記データベースを構成する前記素材ごとの前記管理情報をファイルとして管理し、前記素材の記憶の際には、前記ファイルを前記第２の記憶領域に記憶させることを特徴とする請求項１記載の素材管理システム。
【請求項３】
映像または音声素材の管理情報をデータベースに記憶して素材を管理する素材管理方法において、
前記素材を記憶する第１の記憶領域と、前記素材以外の情報を記憶する第２の記憶領域とを有する可搬型記憶媒体への前記素材の記憶の際、前記可搬型記憶媒体ごとに記憶する前記素材の管理情報を前記第２の記憶領域に記憶することを特徴とする素材管理方法。
【発明の詳細な説明】
【技術分野】
【０００１】
本発明は素材管理システム及び素材管理方法に関し、特に複数の光ディスクなどに記憶した大量の映像または音声素材を、データベースを用いて管理する素材管理システム及び素材管理方法に関する。
【背景技術】
【０００２】
大量のＡＶ（Audio Visual）素材を扱う放送局では、番組制作の際に、保存した大量の素材の中から編集に必要なものを短時間に検索する必要がある。そのため、従来では光ディスクなどに記憶した素材についての管理情報（番組データやコード番号など）をデータベース化して、検索の際にそのデータベースの情報を例えばユーザのコンピュータの画面上で参照することで、必要な素材を検索していた。また、素材の記憶時にはその素材の一部の静止画像や動画像を別に記憶して、検索の際には、これらの画像データも参照して、目的の素材か否かを判定できる検索システムも知られている（例えば特許文献１参照。）。
【０００３】
ところで、近年のＡＶ素材は、ＭＰＥＧ（Moving Picture Coding Experts Group）化が進み、中でもＭＰＥＧ２による圧縮符号化は、デジタル放送やＤＶＤ（Digital Versatile Disc）−Ｖｉｄｅｏなどに使用され、放送番組の製作現場においても利用されてきている。さらに、近年では、ＴＣＰ（Transmission Control Protocol）／ＩＰ（Internet Protocol）ネットワーク上での異なる機種やメーカの放送機器同士でのファイル交換のためのフォーマットとして、ＭＸＦ（Material eXchange Format）が、ＳＭＰＴＥ（Society of Motion Picture and Television Engineers）で標準化された。
【０００４】
ＭＸＦは、ＭＰＥＧフォーマットやＤＶ（Digital Video）フォーマットのデータ、さらにはメタデータ（圧縮符号化方式、映像の内容、種類、撮影場所などの情報）などを一体化して送受信可能なフォーマットであり、ストリーミング機能にも対応している。ＭＸＦを利用することにより、例えば放送局内ＬＡＮ（Local Area Network）を利用して、ＧＵＩ（Graphical User Interface）環境にてドラッグ＆ドロップなどの画面上での簡単な操作で、ＬＡＮ上の機器間による素材ファイルの転送や、再生、記録が可能になってきている。なお、ネットワーク上でのファイルの転送は、ＣＩＦＳ（Common Internet File System）やＦＴＰ（File Transfer Protocol）など、通常非同期転送で使用されるプロトコルによって制御される。
【特許文献１】特許第２９５２９０８号公報
【発明の開示】
【発明が解決しようとする課題】
【０００５】
しかし、素材の管理情報を記憶するデータベースに障害が発生した場合、そのデータベースを再構築するには、大量に蓄積された素材を確認しなければならず、多大な労力と時間、そしてコストがかかる。そのため、データベースの障害の対策として、データベースの二重化や、定期的にバックアップを取る必要があり面倒であった。
【０００６】
本発明はこのような点に鑑みてなされたものであり、データベースに障害が発生した場合でも簡単にデータベースが再構築可能な素材管理システムを提供することを目的とする。
【０００７】
また、本発明の他の目的は、データベースに障害が発生した場合でも簡単にデータベースが再構築可能な素材管理方法を提供することである。
【課題を解決するための手段】
【０００８】
本発明では上記問題を解決するために、映像または音声素材を管理する素材管理システムにおいて、素材を記憶する第１の記憶領域と、前記素材以外の情報を記憶する第２の記憶領域とを有する可搬型記憶媒体を複数収納する収納棚と、前記可搬型記憶媒体への前記素材または前記素材以外の情報の記憶または前記可搬型記憶媒体に記憶された前記素材を再生する記録再生装置とを備えたカート装置と、前記素材の管理情報を記憶するデータベースと、前記カート装置を制御して、前記可搬型記憶媒体への前記素材の記憶の際、前記可搬型記憶媒体ごとの前記素材の前記管理情報を前記第２の記憶領域に記憶させるカート制御装置と、を有することを特徴とする素材管理システムが提供される。
【０００９】
上記の構成によれば、カート装置の収納棚には、素材を記憶する第１の記憶領域と、素材以外の情報を記憶する第２の記憶領域とを有する可搬型記憶媒体が複数収納され、記録再生装置は可搬型記憶媒体への素材または素材以外の情報の記憶または可搬型記憶媒体に記憶された素材の再生を行う。データベースは、素材の管理情報を記憶する。カート制御装置は、カート装置を制御して、可搬型記憶媒体への素材の記憶の際、可搬型記憶媒体ごとの素材の管理情報を第２の記憶領域に記憶させる。
【発明の効果】
【００１０】
本発明は、素材を記憶する第１の記憶領域と、素材以外の情報を記憶する第２の記憶領域とを有する可搬型記憶媒体への素材の記憶の際、可搬型記憶媒体ごとの素材の管理情報をその可搬型記憶媒体の第２の記憶領域に記憶するので、データベースに障害が発生したときに、各可搬型記憶媒体から管理情報を読み出すことにより、簡単にデータベースを再構築することができる。
【００１１】
また、一部の可搬型記憶媒体が壊れても、データベースの一部の管理情報が紛失するだけで、被害を最小限に抑えることができる。
【発明を実施するための最良の形態】
【００１２】
以下、本発明の実施の形態を図面を参照して詳細に説明する。
図１は、本実施の形態の素材管理システムの構成を示す図である。
本実施の形態の素材管理システムは、例えば、放送局の番組製作現場において適用されるシステムであり、カート装置１、カート制御装置２、ＡＶサーバ３、制御用コンピュータ４を有している。また、これらはＬＡＮ５に接続している。
【００１３】
カート装置１は、複数の可搬型記憶媒体を収納する収納棚１ａと、複数の記録再生装置１ｂを備えている。
図２は、可搬型記憶媒体の一例の構成を示す図である。
【００１４】
可搬型記憶媒体は、例えば、青紫色レーザ光による高密度記憶を採用した光ディスク６であり、例えば、２３．３ＧＢの容量を有する。また、この光ディスク６は、ＡＶ素材を記憶する記憶領域６ａ（以下ＡＶエリアと呼ぶ。）と、それ以外の情報などを記憶する記憶領域６ｂ（以下ジェネラルエリアと呼ぶ。）を有している。ジェネラルエリア６ｂの記憶容量は、例えば、５００ＭＢである。
【００１５】
収納棚１ａには、例えば、６００巻程度の光ディスク６が収納される。
記録再生装置１ｂは、カート装置１内に複数搭載されている。各記録再生装置１ｂは、ＬＡＮ５に接続可能なインターフェースの他に、ＩＥＥＥ（the Institute of Electrical and Electronics Engineers）１３９４規格のインターフェースなども備えている。そして、カート制御装置２の制御のもと、図示しないロボティックス機能により収納棚１ａから取り出した光ディスク６への素材の記憶や、光ディスク６に記憶された素材の再生を行う。
【００１６】
カート制御装置２は、カート装置１の図示しないロボティックス機能や、カート装置１内の記録再生装置１ｂを、例えば、ＲＳ−４２２Ａ端子からの制御信号により制御するコンピュータである。そして、ＬＡＮ５に接続可能なインターフェースを備え、ＡＶサーバ３や制御用コンピュータ４などとの間で、ＬＡＮ５を介して素材を送受信する。なお、ＬＡＮ５を介して受信した素材は、例えば、ＩＥＥＥ１３９４規格のインターフェースにより、記録再生装置１ｂに供給される。
【００１７】
また、カート制御装置２は、カート装置１内の収納棚１ａに収納された光ディスク６の素材の管理情報を記憶するデータベース２ａを有している。
図３は、素材の管理情報を記憶するデータベースの例である。
【００１８】
図のように、データベース２ａには、素材ファイルごとに、素材ファイルを格納した光ディスク６のＩＤ（ＤｉｓｃＩＤ）や、素材ファイルのＩＤ（ＦｉｌｅＩＤ）、記憶した日時（Ｄａｔｅ）、タイトル、更新日時（ｌａｓｔ）などの管理情報が記憶される。なお、光ディスク６のＩＤは、例えば、光ディスク６に添付されたバーコードに記述され、カート装置１内の図示しないバーコードリーダによって読み取られる。
【００１９】
このような、データベース２ａを構成する素材ファイルごとの管理情報は、カート制御装置２にてファイル化される。以下これをインフォメーションファイルと呼ぶ。インフォメーションファイルは、例えばテキストファイルであり、素材のフォーマットやオーディオチャンネルなどの情報も記述される。
【００２０】
なお、素材のフォーマットは、例えば、ＭＰＥＧ  ＩＭＸ（５０／４０／３０Ｍｂｐｓ）（ＭＰＥＧ  ＩＭＸはソニー株式会社の登録商標である。）フォーマットや、ＤＶＣＡＭ（ＤＶＣＡＭはソニー株式会社の商標である。）フォーマットなどがある。
【００２１】
ＭＰＥＧ  ＩＭＸフォーマットは、量子化８ビットデジタルコンポーネント記録であり、サンプリングレートは４：２：２、圧縮方式にＭＰＥＧ−２  ４：２：２＠ＭＬに準拠したイントラフレーム方式を採用している。
【００２２】
ＡＶサーバ３は、ファイルサーバとして機能し、例えば放送番組の制作用のＡＶ素材を格納している。素材は、例えばＭＸＦファイル化されＣＩＦＳまたはＦＴＰによりＬＡＮ５を介してカート制御装置２とＡＶサーバ３との間で送受信される。
【００２３】
制御用コンピュータ４は、素材の転送などを制御するコンピュータであり、ユーザは、この制御用コンピュータ４を用いて、データベース２ａから所望の素材を検索したり、素材の再生または記録要求を行う。
【００２４】
なお、図１ではデータベース２ａをカート制御装置２内に示したが、ＬＡＮ５上に接続されていて、制御用コンピュータ４により参照可能であればよい。
以下、本実施の形態の素材管理システムの動作を説明する。
【００２５】
まず、素材を光ディスク６に記憶する際の動作を説明する。
例えば、ＡＶサーバ３の素材ファイルを記録再生装置１ｂに記憶する際には、ＣＩＦＳまたはＦＴＰによる非同期系の制御で転送が行われる。すなわち制御用コンピュータ４は、自身の表示装置に、カート制御装置２内のディレクトリを表示する。ユーザは、そのディレクトリ内に、ＡＶサーバ３の素材ファイル（例えば、ＭＸＦファイル）を例えばマウスなどでドラッグ＆ドロップする。これにより、カート制御装置２の図示しない記憶装置（例えばハードディスクドライブ）に、ＬＡＮ５を介して素材ファイルがダウンロードされる。また、それと同時にその素材ファイルの管理情報がインフォメーションファイルとしてカート制御装置２内のディレクトリに置かれる。
【００２６】
図４は、カート制御装置のディレクトリの構成を示す図である。
ＡＶサーバ３より送られてきた素材ファイル“ａ００１００００．ＭＸＦ”と、インフォメーションファイル“ａ００１００００．ＩＮＦ”は、図のように、まず“ＲＯＯＴ”の下層の“ＥＮＴＲＹ”ディレクトリに記憶される。
【００２７】
カート制御装置２の制御のもと、カート装置１は、収納棚１ａから記憶可能な光ディスク６を取り出し、記憶可能な記録再生装置１ｂを選択する。そして、収納棚１ａから取り出した光ディスク６を、選択した記録再生装置１ｂに挿入する。記録準備が整うと、カート制御装置２の“ＥＮＴＲＹ”ディレクトリには、記録準備が整ったことを示すファイル“ａ００１００００．ＦＩＮ”が置かれる。また、記録する光ディスク６が決定すると、図３で示したようなデータベース２ａが更新される。
【００２８】
“ＥＮＴＲＹ”ディレクトリに、記録準備が整ったことを示すファイル“ａ００１００００．ＦＩＮ”が置かれると、カート制御装置２の制御のもと、素材ファイル“ａ００１００００．ＭＸＦ”は、例えば、ＩＥＥＥ１３９４規格のインターフェースなどで記録再生装置１ｂに送信され、光ディスク６のＡＶエリア６ａに記憶される。インフォメーションファイル“ａ００１００００．ＩＮＦ”は光ディスク６のジェネラルエリア６ｂに記憶される。そして、図４のように、カート装置１の光ディスク６のディレクトリを示す“ＤＩＳＣＳ”内の、選択された光ディスク６に対応するディレクトリ、例えば、“００１００００”ディレクトリに、素材ファイル“ａ００１００００．ＭＸＦ”と、インフォメーションファイル“ａ００１００００．ＩＮＦ”が置かれる。なお、１つの光ディスク６に複数の素材ファイルを記憶する場合には、それに対応してインフォメーションファイルもジェネラルエリア６ｂに複数記憶される。
【００２９】
次に、光ディスク６に記憶された素材をＡＶサーバ３に転送する場合の素材管理システムの動作を説明する。
光ディスク６に記憶する動作の場合と同様に、素材ファイル及びインフォメーションファイルの転送は、ＣＩＦＳまたはＦＴＰにより行われる。すなわち制御用コンピュータ４は、自身の表示装置に、カート制御装置２内のディレクトリを表示する。ユーザは、転送したい素材ファイル（例えばＭＸＦファイル）を、例えばマウスなどで、ＡＶサーバ３の所望のディレクトリにドラッグ＆ドロップする。これにより、選択された素材ファイルを記憶した光ディスク６が、カート制御装置２の制御のもと、記録再生装置１ｂに挿入され、再生される。そして、再生された素材は、記録再生装置１ｂから、ＬＡＮ５を介してＡＶサーバ３に転送され記憶される。
【００３０】
以上説明したような本実施の形態の素材管理システムによれば、データベース２ａを構成する光ディスク６ごとの素材ファイルの管理情報を、インフォメーションファイルとしてその光ディスク６のジェネラルエリア６ｂに記憶するので、データベース２ａに障害が発生したときに、各光ディスク６のインフォメーションファイルを、例えば、制御用コンピュータ４などが読み出すことにより、各素材の内容を確認することなく、簡単にデータベース２ａを再構築することができる。
【００３１】
また、一部の光ディスク６が壊れても、データベース２ａの一部のデータが紛失するだけで、被害を最小限に抑えることができる。
なお、上記は本発明の一実施の形態にすぎず、特に上記に限定されるものではない。例えば、ＬＡＮ５経由ではなく、ＳＤＩ（シリアルデジタルインターフェース）を用いて、素材をベースバンド信号で送受信する場合についても同様に本発明を適用することも可能である。その場合、記録再生装置１ｂは、ベースバンド信号で受信した素材を例えば、ＭＸＦファイルにエンコードして、選択された光ディスク６のＡＶエリア６ａに記憶し、その素材の管理情報はインフォメーションファイルとしてジェネラルエリア６ｂに記憶する。
【００３２】
また、カート装置１及びカート制御装置２は複数あってもよい。
また、ＬＡＮ５の代わりにＷＡＮ（Wide Area Network）を利用してもよい。
【図面の簡単な説明】
【００３３】
【図１】本実施の形態の素材管理システムの構成を示す図である。
【図２】可搬型記憶媒体の一例の構成を示す図である。
【図３】素材の管理情報を記憶するデータベースの例である。
【図４】カート制御装置のディレクトリの構成を示す図である。
【符号の説明】
【００３４】
１……カート装置、１ａ……収納棚、１ｂ……記録再生装置、２……カート制御装置、２ａ……データベース、３……ＡＶサーバ、４……制御用コンピュータ、５……ＬＡＮ
【図１】
2007073111.tif 000003
【図２】
2007073111.tif 000004
【図３】
2007073111.tif 000005
【図４】
2007073111.tif 000006